(57)【要約】【課題】  本発明は、カメラ等に組み込まれる光学モジュールに関し、光学部材を保持部材に高い精度で強固に位置決め固定することを目的とする。【解決手段】  光学部材を保持部材に固定してなる光学モジュールにおいて、前記光学部材に傾斜面を形成し、前記傾斜面と前記保持部材との間に嵌入する固定部材を備えたことを特徴とする。また、光学部材を保持部材に固定してなる光学モジュールにおいて、前記保持部材は軸部が突設され、前記光学部材に、前記保持部材の軸部が挿通され開放端に傾斜面が形成される位置決め穴を形成し、前記軸部の先端部に、該先端部の側面を前記傾斜面に押圧する固定部材を備えたことを特徴とする。【選択図】      図２
2006098497.tif 000002
【特許請求の範囲】
【請求項１】
光学部材を保持部材に固定してなる光学モジュールにおいて、
前記光学部材に傾斜面を形成し、前記傾斜面と前記保持部材との間に嵌入する固定部材を備えたことを特徴とする光学モジュール。
【請求項２】
請求項１記載の光学モジュールにおいて、
前記光学部材には、前記保持部材の軸部が挿通される位置決め穴が形成され、該位置決め穴の開放端を前記傾斜面とし、
前記固定部材は、前記軸部と前記傾斜面との間に嵌入する楔状であることを特徴とする光学モジュール。
【請求項３】
請求項１記載の光学モジュールにおいて、
前記固定部材は、前記光学部材の傾斜面に対応する位置に、前記傾斜面と逆向きの傾斜面を有することを特徴とする光学モジュール。
【請求項４】
請求項１ないし請求項３のいずれか１項記載の光学モジュールにおいて、
前記固定部材と前記保持部材とを接着剤により固定してなることを特徴とする光学モジュール。
【請求項５】
請求項４記載の光学モジュールにおいて、
前記固定部材は、前記保持部材と同一の材料または前記接着剤により前記保持部材との接着強度を保持可能な材料からなることを特徴とする光学モジュール。
【請求項６】
請求項４または請求項５記載の光学モジュールにおいて、
前記接着剤は瞬間接着剤であり、前記瞬間接着剤が流入する前記固定部材と前記保持部材との間隙寸法が、１０μｍ以上で７０μｍ以下に設定されていることを特徴とする光学モジュール。
【請求項７】
光学部材を保持部材に固定してなる光学モジュールにおいて、
前記保持部材は軸部が突設され、
前記光学部材に、前記保持部材の軸部が挿通され開放端に傾斜面が形成される位置決め穴を形成し、
前記軸部の先端部に、該先端部の側面を前記傾斜面に押圧する固定部材を備えたことを特徴とする光学モジュール。
【請求項８】
請求項７記載の光学モジュールにおいて、
前記固定部材と前記保持部材とを接着剤により固定してなることを特徴とする光学モジュール。
【請求項９】
請求項７または請求項８記載の光学モジュールにおいて、
前記固定部材は、球状をしていることを特徴とする光学モジュール。
【発明の詳細な説明】
【技術分野】
【０００１】
本発明は、カメラ等に組み込まれる光学モジュールに係わり、特に、光学モジュールの光学部材と保持部材との取付構造に関する。
【背景技術】
【０００２】
カメラ等に組み込まれる焦点検出装置では、二次結像レンズの位置ずれによって測距誤差が生じる。そのため、二次結像レンズを保持部材に高い精度で位置決め固定することが要求されている。
従来、カメラ等に配置される焦点検出装置として、例えば、特開昭６１−１６５７１１号公報(以下特許文献１という)、特開平８−２９６５２号公報(以下特許文献２という)に開示されるものが知られている。
【０００３】
特許文献１には、二次結像レンズに形成される位置決め穴に、レンズ保持部材に形成される軸部を挿入し、軸部の先端を二次結像レンズに接着剤により接着して、二次結像レンズをレンズ保持部材に固定する構成が開示されている。
また、特許文献２には、レンズ保持部材に形成される位置決め穴に、二次結像レンズに形成される軸部を嵌合し、嵌合部の隙間に接着剤を流入して、二次結像レンズをレンズ保持部材に固定する構成が開示されている。
【特許文献１】特開昭６１−１６５７１１号公報
【特許文献２】特開平８−２９６５２号公報
【発明の開示】
【発明が解決しようとする課題】
【０００４】
しかしながら、上述した特許文献１および特許文献２の焦点検出装置では、位置決め穴に単に軸部を挿入して接着剤により固定しているため、位置決め穴と軸部との間隙が大きい場合には、経年変化あるいは温度変化等により二次結像レンズの位置が変動するという問題があった。
本発明は、かかる従来の問題を解決するためになされたもので、光学部材を保持部材に高い精度で強固に位置決め固定することができる光学モジュールを提供することを目的とする。
【課題を解決するための手段】
【０００５】
請求項１の光学モジュールは、光学部材を保持部材に固定してなる光学モジュールにおいて、前記光学部材に傾斜面を形成し、前記傾斜面と前記保持部材との間に嵌入する固定部材を備えたことを特徴とする。
請求項２の光学モジュールは、請求項１記載の光学モジュールにおいて、前記光学部材には、前記保持部材の軸部が挿通される位置決め穴が形成され、該位置決め穴の開放端を前記傾斜面とし、前記固定部材は、前記軸部と前記傾斜面との間に嵌入する楔状であることを特徴とする。
【０００６】
請求項３の光学モジュールは、請求項１記載の光学モジュールにおいて、前記固定部材は、前記光学部材の傾斜面に対応する位置に、前記傾斜面と逆向きの傾斜面を有することを特徴とする。
請求項４の光学モジュールは、請求項１ないし請求項３のいずれか１項記載の光学モジュールにおいて、前記固定部材と前記保持部材とを接着剤により固定してなることを特徴とする。
【０００７】
請求項５の光学モジュールは、請求項４記載の光学モジュールにおいて、前記固定部材は、前記保持部材と同一の材料または前記接着剤により前記保持部材との接着強度を保持可能な材料からなることを特徴とする。
請求項６の光学モジュールは、請求項４または請求項５記載の光学モジュールにおいて、前記接着剤は瞬間接着剤であり、前記瞬間接着剤が流入する前記固定部材と前記保持部材との間隙寸法が、１０μｍ以上で７０μｍ以下に設定されていることを特徴とする。
【０００８】
請求項７の光学モジュールは、光学部材を保持部材に固定してなる光学モジュールにおいて、前記保持部材は軸部が突設され、前記光学部材に、前記保持部材の軸部が挿通され開放端に傾斜面が形成される位置決め穴を形成し、前記軸部の先端部に、該先端部の側面を前記傾斜面に押圧する固定部材を備えたことを特徴とする。
請求項８の光学モジュールは、請求項７記載の光学モジュールにおいて、前記固定部材と前記保持部材とを接着剤により固定してなることを特徴とする。
【０００９】
請求項９の光学モジュールは、請求項７または請求項８記載の光学モジュールにおいて、前記固定部材は、球状をしていることを特徴とする。
【発明の効果】
【００１０】
本発明では、光学部材に傾斜面を形成し、傾斜面と保持部材との間に固定部材を嵌入したので、光学部材を保持部材に高い精度で強固に位置決め固定することができる。
また、本発明では、光学部材の位置決め穴に保持部材の軸部を挿通し、固定部材により軸部の先端部の側面を位置決め穴の開放端に形成される傾斜面に押圧したので、光学部材を保持部材に高い精度で強固に位置決め固定することができる。
【発明を実施するための最良の形態】
【００１１】
以下、本発明の実施形態を図面を用いて詳細に説明する。
(第１の実施形態)
図１および図２は、本発明の光学モジュールの第１の実施形態を示している。この実施形態では本発明がカメラの焦点検出装置に適用される。
この実施形態の焦点検出装置は、図１および図２に示すように、保持部材としてのレンズ保持部材１１と、入射光の赤外線成分を除去する赤外カットフィルタ１３と、絞りマスク１５と、光学部材としてのセパレータレンズ１７と、光学センサパッケージ１９とを有している。
【００１２】
レンズ保持部材１１は焦点検出装置の本体部分を構成し、焦点検出装置の各部品が位置決めされて取り付けられる。レンズ保持部材１１の上面側（入射側）および左下側（センサ取付側）には開口部が形成され、入射側の開口部には、測距光束を分離して不要な光束を除去するための視野マスク２１が取り付けられている。視野マスク２１には被写体からの光束を通過させる矩形状の開口２１ａが複数形成されている。
【００１３】
また、レンズ保持部材１１の内部には、コンデンサレンズと、該コンデンサレンズを透過した光束をセンサ取付側の開口部１１ａに反射させる折り返しミラーとが配置されている（コンデンサレンズおよび折り返しミラーの図示は省略する）。
センサ取付側の開口部１１ａの周囲にはセパレータレンズ１７の外形に対応する凹陥部１１ｂが形成されている。この凹陥部１１ｂに赤外カットフィルタ１３、絞りマスク１５およびセパレータレンズ１７が取り付けられる。そして、セパレータレンズ１７の外側に光学センサパッケージ１９が固定される。
【００１４】
絞りマスク１５には、図１および図２に示すように、図示しない折り返しミラーからの光束を通過させる円形状の開口１５ａが複数形成されている。また、絞りマスク１５の両側部には軸部２３，２５に対応する位置に挿通孔１５ｂがそれぞれ形成され、焦点検出装置の組立時において各挿通孔１５ｂに軸部２３，２５がそれぞれ挿入されるようになっている。
【００１５】
セパレータレンズ１７は、１対のレンズを複数組配置して構成されたレンズ部１７ａと、光束が通過せず光学系に影響がない取付部１７ｂとを有している。レンズ部１７ａはセパレータレンズ１７の中央部に位置しており、絞りマスク１５を通過した光束をセンサ上に結像させる役目を果たす。
セパレータレンズ１７の取付部１７ｂには、図１に示すように、軸部２３，２５に対応する位置にレンズ部１７ａを隔てて位置決め穴２７，２９がそれぞれ形成されている。各位置決め穴２７，２９はレンズ部１７ａの光軸方向に沿って開口されている。そして、図中左側に位置する一方の位置決め穴２７は円形に形成され、図中右側に位置する他方の位置決め穴２９はセパレータレンズ１７の幅方向に延長する長穴に形成されている。一方の位置決め穴２７は一方の軸部２３と嵌合し、レンズ部１７ａの光軸方向に垂直な面の並進方向移動を規制してセパレータレンズ１７を位置決めする。また、他方の位置決め穴２９は他方の軸部２５と嵌合し、レンズ部１７ａの光軸方向に垂直な面の回転方向移動を規制してセパレータレンズ１７を位置決めする。
【００１６】
図１に示した光学センサパッケージ１９には、セパレータレンズ１７と相対する取付面側にラインセンサが複数組配置されている（ラインセンサの図示は省略する）。組立後の焦点検出装置では、光学センサパッケージ１９のラインセンサがセパレータレンズ１７で分割された２つの像を検出し、この２像間の間隔に基づいてデフォーカス量（合焦位置からのズレ量）の演算が可能となる。
【００１７】
次に、この実施形態におけるセパレータレンズ１７のレンズ保持部材１１への取付構造を詳細に説明する。
図２および図３に示すように、セパレータレンズ１７の一方の位置決め穴２７には、開放端側に傾斜面であるテーパ穴部２７ａが形成されている。このテーパ穴部２７ａは図３の(ｂ)に示すように円錐台状に形成されている。また、一方の軸部２３の先端部には、テーパ部２３ａが形成されている。そして、一方の位置決め穴２７のテーパ穴部２７ａと一方の軸部２３のテーパ部２３ａとの間にレンズ固定部材３１が嵌合されている。
【００１８】
レンズ固定部材３１の外周には、一方の位置決め穴２７のテーパ穴部２７ａに係合するテーパ部３１ａが形成されている。また、レンズ固定部材３１の中心には、一方の軸部２３のテーパ部２３ａに嵌合するテーパ穴３１ｂが形成されている。レンズ固定部材３１には、一方の軸部２３の先端が突出する凹部３１ｃが形成されている。そして、レンズ固定部材３１は、凹部３１ｃ内で一方の軸部２３に接着剤３５により固定されている。
【００１９】
また、図２および図４に示すように、セパレータレンズ１７の他方の位置決め穴２９には、他方の軸部２５の開放端側にテーパ穴部２９ａが形成されている。このテーパ穴部２９ａは図４の(ｂ)に示すように長穴状の他方の位置決め穴２９に沿ってトラック状に形成されている。また、他方の軸部２５の先端には、テーパ部２５ａが形成されている。そして、他方の位置決め穴２９のテーパ穴部２９ａと他方の軸部２５のテーパ部２５ａとの間にレンズ固定部材３７が嵌挿されている。
【００２０】
レンズ固定部材３７の外周には、他方の位置決め穴２９のテーパ穴部２９ａの短径部に係合するテーパ部３７ａが形成されている。また、レンズ固定部材３７の中心には、他方の軸部２５のテーパ部２５ａに嵌合するテーパ穴部３７ｂが形成されている。レンズ固定部材３７には、他方の軸部２５の先端が突出する凹部３７ｃが形成されている。そして、レンズ固定部材３７は、凹部３７ｃ内で他方の軸部２５に接着剤３５により固定されている。レンズ保持部材１１とレンズ固定部材３１，３７とは接着剤が強固に接着可能な同一の材料により形成されている。
【００２１】
作業性の良い瞬間接着剤を用いる場合は、図５に示すように、瞬間接着剤３５が流入するレンズ固定部材３１のテーパ穴部３１ｂと一方の軸部２３のテーパ部２３ａとの間隙寸法ｔは、１０μｍ以上で７０μｍ以下の寸法に設定されている。これは、図６に示すように瞬間接着剤３５を用いた時の破壊強度と間隙寸法ｔとの関係より、間隙寸法ｔが１０μｍ以上で７０μｍ以下の時に高い破壊強度を得られることによるものである。なお、レンズ固定部材３７のテーパ穴部３７ｂと他方の軸部２５のテーパ部２５ａとの間隙寸法も同様に１０μｍ以上で７０μｍ以下の寸法に設定されている。
【００２２】
上述した実施形態の焦点検出装置では、セパレータレンズ１７に形成される位置決め穴２７，２９の開放端にテーパ穴部２７ａ，２９ａを形成し、テーパ穴部２７ａ，２９ａとレンズ保持部材１１の軸部２３，２５との間にレンズ固定部材３１，３７を嵌入したので、セパレータレンズ１７をレンズ保持部材１１に高い精度で強固に位置決め固定することができる。すなわち、レンズ固定部材３１，３７のテーパ部３１ａ，３７ａがセパレータレンズ１７のテーパ穴部２７ａ，２９ａに嵌合するため、セパレータレンズ１７の位置決めを高い精度で行うことができる。また、レンズ固定部材３１，３７のテーパ部３１ａ，３７ａによりセパレータレンズ１７のテーパ穴部２７ａ，２９ａがレンズ保持部材１１の凹陥部１１ｂの底面側に押圧されるためセパレータレンズ１７をレンズ保持部材１１に強固に固定することができる。
【００２３】
そして、レンズ保持部材１１の軸部２３，２５をレンズ固定部材３１，３７に接着するようにしたので、セパレータレンズ１７の位置決め穴２７，２９とレンズ保持部材１１の軸部２３，２５との間に接着剤３５が流入して接着層が形成されることはない。従って、接着層によるセパレータレンズ１７の温度変化に伴う不安定な挙動が抑制され、セパレータレンズ１７をレンズ保持部材１１に高い精度で位置決めすることができる。
【００２４】
また、レンズ保持部材１１の軸部２３，２５とレンズ固定部材３１，３７とを接着するようにしたので、レンズ保持部材１１とレンズ固定部材３１，３７とを接着剤３５により強固に接着可能な同一の樹脂材料で形成することにより、作業性の良好な瞬間接着剤３５によりレンズ保持部材１１の軸部２３，２５をレンズ固定部材３１，３７に強固に接着することが可能になる。
【００２５】
すなわち、従来、難接着性のセパレータレンズ１７とレンズ保持部材１１との接着に用いられていた熱硬化性接着剤では、接着剤の加熱によって粘度の低下した主剤が、硬化剤のカプセルが破壊される前に毛細管現象によって間隙に流入し、主剤と硬化剤との分離が発生してしまう。そして、このように硬化剤から分離した主剤がレンズ保持部材１１を経てセパレータレンズ１７のレンズ部１７ａ等に付着すると、焦点検出装置の光学性能が著しく低下することとなっていたが、本発明では光学性能の低下を防止することができる。
(第２の実施形態)
図７および図８は本発明の光学モジュールの第２の実施形態である焦点検出装置を示している。なお、この実施形態において第１の実施形態と同一の部材には、同一の符号を付して詳細な説明を省略する。
【００２６】
この実施形態では、レンズ保持部材１１の凹陥部１１ｂにセパレータレンズ１７が収容されている。セパレータレンズ１７のレンズ部１７ａの両側には取付部１７ｂが形成されている。凹陥部１１ｂの底面の取付部１７ｂの裏側には、図８に示すようにセパレータレンズ１７の光軸方向の基準となる基準面１１ｅが形成されている。また、セパレータレンズ１７の取付部１７ｂの裏側に形成される位置決め穴１７ｅに嵌合する軸部１１ｆが形成されている。
【００２７】
そして、セパレータレンズ１７のレンズ部１７ａの両側の取付部１７ｂが、レンズ固定部材４１によりレンズ保持部材１１に固定されている。
すなわち、この実施形態では、セパレータレンズ１７の取付部１７ｂの両側には、図８に示すように外向き傾斜面４３が形成されている。一方、レンズ固定部材４１は、長尺状の本体部４１ａの両側に突出部４１ｂが一体形成される断面コ字状をしている。レンズ固定部材４１の突出部４１ｂの内側には、セパレータレンズ１７の外向き傾斜面４３に係合する内向き傾斜面４５が形成されている。レンズ固定部材４１の突出部４１ｂは、セパレータレンズ１７の外向き傾斜面４３とレンズ保持部材１１の凹陥部１１ｂの壁面に形成される凹部１１ｈとの間に嵌合されている。そして、レンズ固定部材４１の上面の隅部が、接着剤３５によりレンズ保持部材１１の凹部１１ｈに固定されている。レンズ固定部材４１は、レンズ保持部材１１と同一の樹脂材料により形成されている。
【００２８】
この実施形態の焦点検出装置では、セパレータレンズ１７の両側に外向き傾斜面４３を形成し、外向き傾斜面４３とレンズ保持部材１１の凹部１１ｈとの間にレンズ固定部材４１を嵌入したので、セパレータレンズ１７をレンズ保持部材１１に高い精度で強固に位置決め固定することができる。すなわち、レンズ固定部材４１の内向き傾斜面４５がセパレータレンズ１７の外向き傾斜面４３に嵌合するため、セパレータレンズ１７の位置決めを高い精度で行うことができる。また、レンズ固定部材４１の内向き傾斜面４５によりセパレータレンズ１７の外向き傾斜面４３がレンズ保持部材１１の基準面１１ｅ側に押圧されるためセパレータレンズ１７をレンズ保持部材１１に強固に固定することができる。
【００２９】
そして、レンズ固定部材４１の両端の上部をレンズ保持部材１１の凹部１１ｈに接着するようにしたので、セパレータレンズ１７に接着剤３５が付着することを防止することができる。
また、レンズ保持部材１１とレンズ固定部材４１とを接着するようにしたので、レンズ保持部材１１とレンズ固定部材４１とを接着剤３５により強固に接着可能な同一の樹脂材料で形成することにより、作業性の良好な瞬間接着剤３５によりレンズ保持部材１１をレンズ固定部材４１に強固に接着することが可能になる。従って、従来、難接着性のセパレータレンズ１７とレンズ保持部材１１との接着に用いられていた熱硬化性接着剤を使用する必要がなくなり、光学性能の低下を防止することができる。
【００３０】
作業性の良い瞬間接着剤を用いる場合は、図９に示すように、瞬間接着剤３５が流入するレンズ固定部材４１の端面４１ｃと凹部１１ｈの底面との間隙寸法ｔは、１０μｍ以上で７０μｍ以下の寸法に設定されている。これは、図６に示したように瞬間接着剤３５を用いた時の破壊強度と間隙寸法ｔとの関係より、間隙寸法ｔが１０μｍ以上で７０μｍ以下の時に高い破壊強度を得られることによるものである。
(第３の実施形態)
図１０は本発明の光学モジュールの第３の実施形態である焦点検出装置の要部を示している。なお、この実施形態において第１の実施形態と同一の部材には、同一の符号を付して詳細な説明を省略する。
【００３１】
この実施形態では、セパレータレンズ１７には、レンズ保持部材１１の軸部５１が挿通される位置決め穴５３が形成されている。この位置決め穴５３の開放端にはテーパ穴部５３ａが形成されている。一方、軸部５１の先端には、凹部５１ａが形成されている。そして、凹部５１ａを球状のレンズ固定部材５５により拡径することにより、軸部５１の先端部の外周がセパレータレンズ１７のテーパ穴部５３ａに押圧されている。レンズ固定部材５５は、軸部５１の凹部５１ａに瞬間接着剤３５により固定され、これにより、軸部５１の先端部の形状が維持されている。
【００３２】
この実施形態では、図１１に示すように、レンズ保持部材１１の軸部５１の先端部には、予め凹部５１ｂが形成されている。そして、軸部５１をセパレータレンズ１７の位置決め穴５３に挿入した後、球状のレンズ固定部材５５を軸部５１の凹部５１ｂに挿入することにより、図１２に示すように軸部５１の先端部側面が拡径され、位置決め穴５３のテーパ穴部５３ａに押圧される。そして、この状態でレンズ固定部材５５が軸部５１に接着剤３５により接着される。
【００３３】
この実施形態では、球状のレンズ固定部材５５には、棒状の支持部５５ａが一体形成されており、支持部５５ａを治具５７により把持し、支持部５５ａを押圧することにより軸部５１の凹部５１ａが拡径され、位置決め穴５３のテーパ穴部５３ａに押圧される。そして、この状態で接着剤３５を滴下し、接着剤３５が固まったところで支持部材５５ａが矢符で示す付け根の近傍で切断される。
【００３４】
この実施形態の焦点検出装置では、セパレータレンズ１７の位置決め穴５３にレンズ保持部材１１の軸部５１を挿通し、レンズ固定部材５５により軸部５１の先端に形成される凹部５１ｂを拡径して位置決め穴５３の開放端に形成されるテーパ穴部５３ａに軸部５１の拡径部の外周を押圧したので、セパレータレンズ１７をレンズ保持部材１１に高い精度で強固に位置決め固定することができる。すなわち、レンズ保持部材１１の軸部５１の拡径部がセパレータレンズ１７のテーパ穴部５３ａに嵌合するため、セパレータレンズ１７の位置決めを高い精度で行うことができる。また、レンズ保持部材１１の軸部５１の拡径部がレンズ固定部材５５によりセパレータレンズ１７のテーパ穴部５３ａに押圧されるためセパレータレンズ１７をレンズ保持部材１１に強固に固定することができる。
【００３５】
そして、レンズ固定部材５５をレンズ保持部材１１の軸部５１に接着するようにしたので、セパレータレンズ１７の位置決め穴５３とレンズ保持部材１１の軸部５１との間に接着剤３５が流入して接着層が形成されることはない。従って、接着層によるセパレータレンズ１７の温度変化に伴う不安定な挙動が抑制され、セパレータレンズ１７をレンズ保持部材１１に高い精度で位置決めすることができる。
【００３６】
また、レンズ保持部材１１の軸部５１とレンズ固定部材５５とを接着するようにしたので、レンズ保持部材１１とレンズ固定部材５５とを接着剤３５により強固に接着可能な同一の樹脂材料で形成することにより、作業性の良好な瞬間接着剤３５によりレンズ保持部材１１の軸部５１をレンズ固定部材５５に強固に接着することが可能になる。従って、従来、難接着性のセパレータレンズ１７とレンズ保持部材１１との接着に用いられていた熱硬化性接着剤を使用する必要がなくなり、光学性能の低下を防止することができる。
(実施形態の補足事項)
以上、本発明を上述した実施形態によって説明してきたが、本発明の技術的範囲は上述した実施形態に限定されるものではなく、例えば、以下のような形態でも良い。
【００３７】
(１)上述した実施形態では本発明を焦点検出装置に適用した例について説明したが、本発明は焦点検出装置に限定されるものではなく各種の光学モジュールに広く適用することができる。
(２)上述した実施形態では、接着剤に瞬間接着剤３５を使用した例について説明したが、例えば、紫外線硬化型接着剤、エポキシ系接着剤、熱硬化型接着剤等の接着剤を用いても良い。
【００３８】
(３)上述した実施形態では、レンズ保持部材１１とレンズ固定部材３１，３７，４１，５５とを同一の材料により形成した例について説明したが、レンズ保持部材とレンズ固定部材との接着強度を保持可能な材料であれば異なる材料でも良い。
【図面の簡単な説明】
【００３９】
【図１】本発明の光学モジュールの第１の実施形態を示す分解斜視図である。
【図２】図１の要部を拡大して示す説明図である。
【図３】一方の軸部と一方の位置決め穴との嵌合状態を示す説明図である。
【図４】他方の軸部と他方の位置決め穴との嵌合状態を示す説明図である。
【図５】図３の一方の軸部付近を拡大して示す説明図である。
【図６】瞬間接着剤の間隙寸法と破壊強度との関係を示す説明図である。
【図７】本発明の光学モジュールの第２の実施形態を示す上面図である。
【図８】図７のＢ−Ｂ断面図である。
【図９】図８のレンズ固定部材の端部付近を拡大して示す説明図である。
【図１０】本発明の光学モジュールの第３の実施形態の要部を示す断面図である。
【図１１】図１０の軸部に形成される凹部を示す説明図である。
【図１２】図１０の軸部の先端の拡径方法を示す説明図である。
【符号の説明】
【００４０】
１１  レンズ保持部材
１１ｂ  凹陥部
１７  セパレータレンズ
２３  一方の軸部
２５  他方の軸部
２７  一方の位置決め穴
２７ａ，２９ａ  テーパ穴部
２９  他方の位置決め穴
３１，３７  レンズ固定部材
３１ａ，３７ａ  テーパ部
４１  レンズ固定部材
４３  外向き傾斜面
４５  内向き傾斜面
５１  軸部
５１ａ  凹部
５３  位置決め穴
５３ａ  テーパ穴部
５５  レンズ固定部材
【図１】
2006098497.tif 000003
【図２】
2006098497.tif 000004
【図３】
2006098497.tif 000005
【図４】
2006098497.tif 000006
【図５】
2006098497.tif 000007
【図６】
2006098497.tif 000008
【図７】
2006098497.tif 000009
【図８】
2006098497.tif 000010
【図９】
2006098497.tif 000011
【図１０】
2006098497.tif 000012
【図１１】
2006098497.tif 000013
【図１２】
2006098497.tif 000014